(57)【要約】      （修正有）【課題】使用者のニーズに基づき選択的に係合ロック可能で、容器使用の安全性を向上させることができる容器の構造を提供する。【解決手段】容器の構造は、カップ体１０とカップ蓋３０により構成し、カップ体１０上にはカップ蓋３０と対応する係合ロックユニット２０を設置し、カップ蓋３０は、カップ体１０と係合ロックユニット２０との間に挿入して係合することができる係合挿入棒３２を備え、上記した設計により、使用者は必要に応じて、カップ蓋３０をカップ体１０上に係合してロックすることができ、任意に開放される恐れを払拭し、使用者の飲料飲用の安全性を確保することができる。【選択図】図２
0003159806.tif 000002
【実用新案登録請求の範囲】
【請求項１】
カップ体、係合ロックユニット、カップ蓋により構成し、
前記カップ体は、開口が上向きのカップ口を備え、しかも前記カップ体は、前記カップ口に隣接する位置に、環状頚部を形成し、前記カップ体は、前記環状頚部上に、軸方向に延伸する陥没状挿入槽を形成し、
前記係合ロックユニットは、少なくとも１個の番号リングにより構成し、前記番号リングは、前記環状頚部上に環状に嵌めることができ、さらに前記各環状頚部内縁には、停止縁を形成し、しかも前記番号リングは、前記停止縁上に外部の番号に対応する開口を形成し、
前記カップ蓋は、外蓋を備え、前記外蓋上には、前記挿入槽に対応する係合挿入棒を備え、しかも前記係合挿入棒は、前記係合ロックユニット片側に対応して、前記番号リング停止縁に対応する少なくとも１個の切槽を形成し、これにより前記係合挿入棒上には、前記番号リング停止縁下方に対応する停止ブロックを形成し、
こうして、選択的に前記カップ蓋を嵌合できる容器構造を構成することを特徴とする容器の構造。
【請求項２】
前記カップ蓋は、前記外蓋上に、スリーブ、内蓋を設置し、
前記外蓋中心には、前記スリーブに対応するネジ孔柱を備え、しかも前記スリーブ周縁には、前記カップ体挿入槽に対応する定位槽を形成し、
前記スリーブは、係合固定部品を利用して、前記外蓋のネジ孔柱上に嵌合し、前記内蓋は、前記スリーブ外に嵌めて設置することができ、しかも前記内蓋は、前記定位槽に対応する定位ブロックを備えることを特徴とする請求項１に記載の容器の構造。
【請求項３】
前記カップ蓋のスリーブ外縁には、嵌合リング縁を備え、前記内蓋内縁には、対応する嵌合リング槽を形成し、こうして前記内蓋は前記スリーブ外に嵌合されることを特徴とする請求項２に記載の容器の構造。
【請求項４】
前記カップ蓋の内蓋外縁には、複数のリップ縁を形成し、これにより前記カップ体内縁と相対して、気密作用を生じ、漏れ防止の目的を達成することを特徴とする請求項２、或いは３に記載の容器の構造。
【考案の詳細な説明】
【技術分野】
【０００１】
本考案は容器に関し、特に係合ロック効果を備える容器構造で、使用者の飲用の安全に悪影響を及ぼす他人による任意の開放を回避可能な容器の構造に関する。
【背景技術】
【０００２】
社会状況の変遷で、人人はますます多くの時間、外に出て他人と社交活動を繰り広げるようになっている。
その際、いわゆるレストラン、カラオケボックス、ナイトクラブなどの娯楽場所では、談話が長時間に及べば、人は飲料を購入し飲用する。
しかし現在、飲料充填に用いられている容器はみな、開放型のカップ、ボトルに属する。
一方、テクノロジーの進歩により、現在では、飲料内に添加されたとしても、多くの薬物は無味無臭、無色であるため、不届き者が、隙を狙ってこのような薬物を飲料中に加えるような事態も発生しており、社会問題化している。
【０００３】
現在の容器は、良くてカップ体上を瓶蓋で覆うことができるだけであるが、その瓶蓋はせいぜい螺合方式で選択的に固定可能なだけである。
しかし、不逞の輩が隙をみて蓋を開け薬物を加えようとするなら、その保護効果は不十分であるため、現在、外で飲む飲料の安全性は高いとはいえない。
このような使用状況では、飲料容器を視線から離すことはできず、トイレにも行けない、或いは席を離れる前に飲料を飲み干さなければならず、社交活動に影響を及ぼす恐れがある。
すなわち、現在の飲料容器は、安全飲用の実際のニーズを完全には満たすことはできず、容器の飲用の安全性をいかにして高めるかは、業界にとって大切な開発の方向性である。
本考案は、従来の容器の構造の上記した欠点に鑑みてなされたものである。
【考案の概要】
【考案が解決しようとする課題】
【０００４】
本考案が解決しようとする課題は、使用者のニーズに基づき選択的に係合ロック可能で、容器使用の安全性を向上させることができる容器の構造を提供することである。
【課題を解決するための手段】
【０００５】
上記課題を解決するため、本考案は下記の容器の構造を提供する。
容器の構造は、カップ体、係合ロックユニット、カップ蓋により構成し、
該カップ体は、開口が上向きのカップ口を備え、しかも該カップ体は、該カップ口に隣接する位置に、環状頚部を形成し、該カップ体は、該環状頚部上に、軸方向に延伸する陥没状挿入槽を形成し、
該係合ロックユニットは、少なくとも１個の番号リングにより構成し、該番号リングは、該環状頚部上に環状に嵌めることができ、さらに該各環状頚部内縁には、停止縁を形成し、しかも該番号リングは、該停止縁上に外部の番号に対応する開口を形成し、
該カップ蓋は、外蓋を備え、該外蓋上には、該挿入槽に対応する係合挿入棒を備え、しかも該係合挿入棒は、該係合ロックユニット片側に対応して、該番号リング停止縁に対応する少なくとも１個の切槽を形成し、これにより該係合挿入棒上には、該番号リング停止縁下方に対応する停止ブロックを形成し、
こうして、選択的に該カップ蓋を嵌合できる容器構造を構成する。
【考案の効果】
【０００６】
本考案容器の構造により、使用者は必要に応じて、カップ蓋をカップ体上に係合してロックすることができ、任意に開放される恐れを払拭し、使用者の飲料飲用の安全性を確保することができる。
【図面の簡単な説明】
【０００７】
【図１】本考案容器構造において、組成後の状態を説明する外観表示図である。
【図２】本考案容器構造において、主要部品の形態とその相対関係を示す立体分解表示図である。
【図３】本考案容器構造の組成断面表示図である。
【図４】本考案容器構造において、カップ蓋とカップ体係合してロック時の状態を説明する別の視角からの組成断面表示図である。
【考案を実施するための形態】
【０００８】
以下に図面を参照しながら本考案を実施するための最良の形態について詳細に説明する。
図示の容器の具体的実施例及びその構成部品において、前と後、左と右、頂点部と底部、上部と下部、水平と垂直の参考は、説明の便のために用いるのみで、本考案を限定するものではなく、構成部品を任意の位置或いは空間、方向に制限するものでもない。
図示と説明書中で指定するサイズは、本考案の実用新案登録請求の範囲内において、本考案の具体的実施例の設計とニーズに基づき、改変することができる。
【０００９】
本考案容器構造において、組成後の状態を説明する外観表示図である図１に示すように、容器の構造は、カップ体１０、係合ロックユニット２０、カップ蓋３０により構成する。
これにより、カップ体１０は、係合ロックユニット２０を利用して、カップ蓋３０を選択的に係合してロックすることができる。
【００１０】
本考案容器構造において、実施例の詳細な構成を示す図２、３、４に示すように、カップ体１０は、開口が上向きのカップ口１１を備える。
しかも、カップ体１０は、カップ口１１に隣接する位置に、環状頚部１５を形成する。
カップ体１０は、環状頚部１５上に、軸方向に延伸する陥没状挿入槽１６を形成し、これによりカップ蓋３０を相対させて選択的に挿入し、係合してロックすることができる。
【００１１】
係合ロックユニット２０は、少なくとも１個の番号リング２１により構成する。
本実施例は、３個の番号リング２１により組成し、番号リング２１は、カップ体１０の環状頚部１５上に環状に嵌めることができる。
さらに、各環状頚部１５内縁には、停止縁２２を形成し、番号リング２１は、停止縁２２上に開口２３を形成し、開口２３は、番号リング２１外部のさまざまな番号に対応することができる。
こうして、複数の番号リング２１は、多種の開放パスワードを組成することができる。
【００１２】
カップ蓋３０は、外蓋３１、スリーブ３４、内蓋３６を備える。
外蓋３１上には、カップ体１０の挿入槽１６に対応する係合挿入棒３２を備える。
カップ蓋３０係合挿入棒３２は、カップ体１０と係合ロックユニット２０との間に挿入され、設置される(図４参照)。
しかも、係合挿入棒３２は、係合ロックユニット２０片側に対応して、番号リング停止縁２２に対応する少なくとも１個の切槽３２１を形成する。
これにより、係合挿入棒３２上には、番号リング２１停止縁２２下方に対応する停止ブロック３２２を形成し、カップ蓋３０係合挿入棒３２は、係合ロックユニット２０番号リング２１の係合定位を受ける。
外蓋３１中心には、スリーブ３４に対応するネジ孔柱３３を備える。
しかも、スリーブ３４周縁には、カップ体１０挿入槽１６に対応する定位槽３４０を形成する。
別に、スリーブ３４外縁には、嵌合リング縁３５を備え、これに内蓋３６を嵌合することができる。
また、スリーブ３４は、係合固定部品３９を利用して、外蓋３１のネジ孔柱３３上に嵌合する。
内蓋３６は、スリーブ３４定位槽３４０に対応する定位ブロック３６０を備える。
しかも、内蓋３６内縁には、スリーブ３４嵌合リング縁３５に対応する嵌合リング槽３７を形成し、これにより内蓋３６は、スリーブ３４外に嵌めて設置することができる。
組成を完成したカップ蓋３０は、さらに内蓋３６外縁に、複数のリップ縁３８を形成し、これによりカップ体１０内縁と相対して、気密作用を生じ、漏れ防止の目的を達成することができる。
こうして、選択的にカップ蓋３０を嵌合できる容器構造を構成する。
【００１３】
上記した設計により、本考案の容器を実際に運用する際に、図２、３、４に示すように、使用者がカップ蓋３０を嵌合する必要がある場合には、先ずカップ体１０上の係合ロックユニット２０の各番号リング２１を、ロック解除位置まで回す。
これにより、各番号リング２１の停止縁２２開口２３は、カップ体１０の挿入槽１６に対応する。
続いて、カップ蓋３０を、係合挿入棒３２により、カップ体１０の挿入槽１６内に挿入すると、係合挿入棒３２の切槽３２１は、番号リング２１の停止縁２２に対応する。
こうして、使用者が番号リング２１を適当に回した後、番号リング２１の停止縁２２は、カップ蓋３０の係合挿入棒３２停止ブロック３２２に対して係合ロック作用を生じ、カップ蓋３０が任意に開放される恐れを払拭することができる。
これにより、使用者の飲料飲用の安全性を確保することができる。
【００１４】
使用者が飲料を飲用しようとする時には、もともと設定したパスワードに従い、係合ロックユニット２０の番号リング２１を回す。
これにより、各番号リング２１はロック解除位置まで回り、番号リング２１の停止縁２２開口２３は、カップ体１０の挿入槽１６に対応する。
同時に、カップ蓋３０係合挿入棒３２の停止ブロック３２２は、番号リング２１の開口２３に対応し、こうしてカップ蓋３０を上方へと取り出し、使用者の飲用に供することができる。        
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は機能と効果を大きく増進させ、該技術領域では、相同或いは近似の製品、考案は未見で、或いは公開、使用されていない。さらに本考案は実用新案の要件である新規性を備え、十分な進歩性を有し、従来の構造が抱える問題を解決することができ、実用性が高く、社会のニーズに合致しており、産業上の利用価値は非常に大きい。
【符号の説明】
【００１７】
１０  カップ体
１１  カップ口
１５  環状頚部
１６  挿入槽
２０  係合ロックユニット
２１  番号リング
２２  停止縁
２３  開口
３０  カップ蓋
３１  外蓋
３２  係合挿入棒
３２１  切槽
３２２  停止ブロック
３３  ネジ孔柱
３４  スリーブ
３４０  定位槽
３５  嵌合リング縁
３６  内蓋
３６０  定位ブロック
３７  嵌合リング槽
３８  リップ縁  
３９  係合固定部品
【図１】
0003159806.tif 000003
【図２】
0003159806.tif 000004
【図３】
0003159806.tif 000005
【図４】
0003159806.tif 000006